(57)【要約】      （修正有）【課題】表示されている情報に関連する情報を容易に表示させる。【解決手段】複数の表示領域１１０−１〜１１０−３を有する表示装置１００であって、操作者の視線の方向を検知する検知部１３０と、前記複数の表示領域の表示を制御する制御部１２０とを有し、前記制御部は、前記検知部により第１の表示領域に表示されている情報を判別し、前記判別した情報に関連する関連情報を、前記複数の表示領域のうち、第１の表示領域以外の第２の表示領域に表示させる。【選択図】図１
2013069211.tif 000002
【特許請求の範囲】
【請求項１】
複数の表示領域と、
前記複数の表示領域のうち、第１の表示領域に表示されている情報を判別し、該判別した情報に関連する関連情報を、前記第１の表示領域以外の第２の表示領域に表示させる制御部とを有する表示装置。
【請求項２】
請求項１に記載の表示装置において、
当該表示装置を操作する操作者の視線の方向を検知する検知部を有し、
前記制御部は、前記第１の表示領域に表示されている情報のうち、前記検知部が検知した視線の方向に表示されている情報を判別し、該判別した情報に関連する関連情報を前記第２の表示領域に表示させることを特徴とする表示装置。
【請求項３】
請求項２に記載の表示装置において、
前記検知部は、さらに前記視線の動きを検知し、
前記制御部は、前記第１の表示領域に表示されている情報のうち、前記検知部が前記視線の動きが止まったことを検知したときの前記視線の方向に表示されている情報を判別し、該判別した情報に関連する関連情報を前記第２の表示領域に表示させることを特徴とする表示装置。
【請求項４】
請求項２に記載の表示装置において、
前記検知部は、さらに前記操作者の所定のまばたき動作を検知し、
前記制御部は、前記第１の表示領域に表示されている情報のうち、前記検知部が前記まばたき動作を検知したときの前記視線の方向に表示されている情報を判別し、該判別した情報に関連する関連情報を前記第２の表示領域に表示させることを特徴とする表示装置。
【請求項５】
請求項１から４のいずれか１項に記載の表示装置において、
前記複数の表示領域は、それぞれが複数の表示媒体であることを特徴とする表示装置。
【請求項６】
請求項１から５のいずれか１項に記載の表示装置において、
あらかじめ取得された情報と、該情報に関連する関連情報とを対応付けて記憶する記憶部を有し、
前記制御部は、前記判別した情報に関連する関連情報を、前記記憶部から読み出して、前記第２の表示領域に表示させることを特徴とする表示装置。
【請求項７】
複数の表示領域に情報を表示させる表示方法であって、
前記複数の表示領域のうち、第１の表示領域に表示されている情報を判別する処理と、
前記判別した情報に関連する関連情報を前記第１の表示領域以外の第２の表示領域に表示させる処理とを行う表示方法。
【請求項８】
複数の表示領域を具備する表示装置に、
前記複数の表示領域のうち、第１の表示領域に表示されている情報を判別する手順と、
前記判別した情報に関連する関連情報を、前記第１の表示領域以外の第２の表示領域に表示させる手順を実行させるためのプログラム。
【発明の詳細な説明】
【技術分野】
【０００１】
本発明は、情報を表示する表示装置、表示方法およびプログラムに関する。
【背景技術】
【０００２】
近年、情報を表示するディスプレイが搭載された電子機器（以下、表示装置と称する）には、多種多様な情報が表示される。このような表示装置の中には、複数の薄い表示媒体から構成され、書籍のように利用することができるものも考えられている（例えば、特許文献１参照。）。
【先行技術文献】
【特許文献】
【０００３】
【特許文献１】特開２００３−５８０８１号公報
【発明の概要】
【発明が解決しようとする課題】
【０００４】
しかしながら、上述した技術においては、ディスプレイに表示された情報に関連する情報を見るには、その表示を切り替えて、検索用サイト等に接続してその情報を検索キーとして入力・検索して表示させたり、他の表示媒体に表示されている情報を手動・目視で探したりしなければならず、その手間がかかってしまうという問題点がある。
【０００５】
本発明の目的は、上述した課題を解決する表示装置、表示方法およびプログラムを提供することである。
【課題を解決するための手段】
【０００６】
本発明の表示装置は、
複数の表示領域と、
前記複数の表示領域のうち、第１の表示領域に表示されている情報を判別し、該判別した情報に関連する関連情報を、前記第１の表示領域以外の第２の表示領域に表示させる制御部とを有する。
【０００７】
また、本発明の表示方法は、
複数の表示領域に情報を表示させる表示方法であって、
前記複数の表示領域のうち、第１の表示領域に表示されている情報を判別する処理と、
前記判別した情報に関連する関連情報を前記第１の表示領域以外の第２の表示領域に表示させる処理とを行う。
【０００８】
また、本発明のプログラムは、
複数の表示領域を具備する表示装置に実行させるためのプログラムであって、
前記複数の表示領域のうち、第１の表示領域に表示されている情報を判別する手順と、
前記判別した情報に関連する関連情報を、前記第１の表示領域以外の第２の表示領域に表示させる手順を実行させる。
【発明の効果】
【０００９】
以上説明したように、本発明においては、表示されている情報に関連する情報を容易に表示させることができる。
【図面の簡単な説明】
【００１０】
【図１】本発明の表示装置の第１の実施の形態を示す図である。
【図２】図１に示した記憶部に記憶されている情報の一例を示す図である。
【図３】図１に示した記憶部に記憶されている情報の他の例を示す図である。
【図４】本発明の表示装置の第２の実施の形態を示す図である。
【図５】図１に示した表示装置の外観の第１の例を示す図である。
【図６】図１に示した表示装置の外観の第２の例を示す図である。
【図７】図１に示した表示装置の外観の第３の例を示す図である。
【図８】図１に示した表示装置における表示方法のうち、図１に示した検知部が視線の動きが止まったことを検知したときの処理を説明するためのフローチャートである。
【図９】図５に示した外観形状である表示装置に情報および関連情報が表示されたときの表示例を示す図である。
【図１０】図６に示した外観形状である表示装置に情報および関連情報が表示されたときの表示例を示す図である。
【図１１】図７に示した外観形状である表示装置に情報および関連情報が表示されたときの表示例を示す図である。
【図１２】図１に示した表示装置における表示方法のうち、図１に示した検知部が操作者のまばたきを検知したときの処理を説明するためのフローチャートである。
【図１３】図４に示した表示装置における表示方法のうち、図４に示した検知部が視線の動きが止まったことを検知したときの処理を説明するためのフローチャートである。
【図１４】図４に示した表示装置における表示方法のうち、図４に示した検知部が操作者のまばたきを検知したときの処理を説明するためのフローチャートである。
【図１５】図７に示した外観形状である表示装置に情報および関連情報が表示されたときの表示の他の例を示す図である。
【発明を実施するための形態】
【００１１】
以下に、本発明の実施の形態について図面を参照して説明する。
【００１２】
図１は、本発明の表示装置の第１の実施の形態を示す図である。
【００１３】
本形態における表示装置１００には図１に示すように、複数の表示領域１１０−１〜１１０−３と、制御部１２０と、検知部１３０と、記憶部１４０とが設けられている。なお、図１においては、表示装置１００が具備する構成要素のうち、本発明に関わるもののみを示した。また、図１において、表示領域が３つである場合を例に挙げて示しているが、２つ、もしくは４つ以上であっても良い。
【００１４】
表示領域１１０−１〜１１０−３は、画像や文字等の情報を表示する。また、表示領域１１０−１〜１１０−３は、物理的に１つのディプレイ上に配置される領域であっても良いし、互いに物理的に分離されているものであっても良い。また、表示領域１１０−１〜１１０−３は、互いに重ね合わされた電子ペーパー等の表示媒体であっても良い。
【００１５】
検知部１３０は、表示装置１００を操作する操作者の視線の方向・動きを検知する。また、検知部１３０は、表示装置１００を操作する操作者の所定のまばたき動作（所定の時間内の連続まばたきや、所定の時間以上目をつぶった状態）を検知する。この視線の方向・動き・まばたきの検知方法は、一般的にカメラ等に具備された専用の機能を用いるものであっても良く、ここでは特に規定しない。
【００１６】
制御部１２０は、情報を表示領域１１０−１〜１１０−３に表示させる。また、制御部１２０は、表示領域１１０−１〜１１０−３のうちのいずれかの表示領域（以下、第１の表示領域と称する）に表示されている情報を判別する。この判別方法は、検知部１３０の検知の結果から、その視線方向の位置に表示されている情報が何であるかを判別するものである。例えば、その視線方向の位置を示す座標と、現在表示している画像の中の情報それぞれの表示位置を示す座標とを比較し、その座標が一致した情報を判別する。また、制御部１２０は、判別した情報に関連する関連情報を、第１の表示領域以外の表示領域（以下、第２の表示領域と称する）に表示させる。
【００１７】
また、制御部１２０は、第１の表示領域に表示されている情報のうち、検知部１３０が視線の動きが止まったことを検知したときの視線の方向に表示されている情報を判別し、判別した情報に関連する関連情報を第２の表示領域に表示させる。
【００１８】
また、制御部１２０は、第１の表示領域に表示されている情報のうち、検知部１３０が操作者のまばたきを検知したときの視線の方向に表示されている情報を判別し、判別した情報に関連する関連情報を第２の表示領域に表示させる。このとき、検知する視線の方向は、検知部１３０がまばたきを検知する直前の視線の方向であっても良いし、まばたきを検知した直後の視線の方向であっても良い。
【００１９】
また、制御部１２０は、判別した情報に関する関連情報を、記憶部１４０から読み出して第２の表示領域に表示させる。
【００２０】
記憶部１４０は、第１の表示領域に表示されている情報と、第１の表示領域に表示されている情報に関連する関連情報とを対応付けて記憶する。
【００２１】
図２は、図１に示した記憶部１４０に記憶されている情報の一例を示す図である。
【００２２】
図１に示した記憶部１４０には図２に示すように、情報と、その情報と関連する関連情報とが対応付けられて記憶されている。これらは、外部からあらかじめ取得され、記憶部１４０に記憶されているものである。
【００２３】
例えば、図２に示すように、情報「Ａ」と関連情報「Ａ’」および「Ａ”」とが対応付けられて記憶されている。これは、制御部１２０が判別した情報が「Ａ」である場合、制御部１２０が第２の表示領域に表示させる情報は、「Ａ’」および「Ａ”」であることを示している。また、情報「Ｂ」と関連情報「Ｂ’」および「Ｂ”」とが対応付けられて記憶されている。これは、制御部１２０が判別した情報が「Ｂ」である場合、制御部１２０が第２の表示領域に表示させる情報は、「Ｂ’」および「Ｂ”」であることを示している。また、情報「Ｃ」と関連情報「Ｃ’」とが対応付けられて記憶されている。これは、制御部１２０が判別した情報が「Ｃ」である場合、制御部１２０が第２の表示領域に表示させる情報は、「Ｃ’」であることを示している。
【００２４】
図３は、図１に示した記憶部に記憶されている情報の他の例を示す図である。
【００２５】
図１に示した記憶部１４０には図３に示すように、情報と、その情報と関連する関連情報とが対応付けられて記憶されている。ここで、「関連情報１」は、その情報と関連する関連情報であり、「関連情報２」は、「関連情報１」と関連する関連情報である。このように、情報と関連する関連情報を階層的に記憶するものである。これらは、外部からあらかじめ取得され、記憶部１４０に記憶されているものである。
【００２６】
例えば、図３に示すように、情報「Ａ」と関連情報１「Ａ’」と関連情報２「ａ’」とが対応付けられて記憶されている。これは、制御部１２０が判別した情報が「Ａ」である場合、制御部１２０が第２の表示領域に表示させる情報は、「Ａ’」および「ａ’」であることを示している。また、情報「Ｂ」と関連情報１「Ｂ’」と関連情報２「ｂ’」とが対応付けられて記憶されている。これは、制御部１２０が判別した情報が「Ｂ」である場合、制御部１２０が第２の表示領域に表示させる情報は、「Ｂ’」および「ｂ’」であることを示している。また、情報「Ｃ」と関連情報１「Ｃ’」と関連情報２「ｃ’」とが対応付けられて記憶されている。これは、制御部１２０が判別した情報が「Ｃ」である場合、制御部１２０が第２の表示領域に表示させる情報は、「Ｃ’」および「ｃ’」であることを示している。
【００２７】
図４は、本発明の表示装置の第２の実施の形態を示す図である。
【００２８】
本形態における表示装置１０１には図４に示すように、複数の表示領域１１０−１〜１１０−３と、制御部１２１と、検知部１３０と、通信部１５０とが設けられている。なお、図４には、表示装置１０１が具備する構成要素のうち、本発明に関わるもののみを示した。また、図４において、表示領域が３つである場合を例に挙げて示しているが、２つ、もしくは４つ以上であっても良い。
【００２９】
表示領域１１０−１〜１１０−３は、図１に示したものと同じである。
【００３０】
検知部１３０は、図１に示したものと同じである。
【００３１】
制御部１２１は、判別した情報に関連する関連情報を、第１の実施の形態のように記憶部１４０から読み出すのではなく、通信部１５０を介して、表示装置１０１と接続された所定のサーバから取得して、第２の表示領域に表示させる。この取得では、判別した情報を検索キーとして、検索サイト等で関連情報の検索を行い、検索された関連情報が格納されているサーバからその関連情報を取得するものであっても良い。また、制御部１２１が具備するその他の機能については、図１に示した制御部１２０の機能と同じである。
【００３２】
通信部１５０は、表示装置１０１と接続された所定のサーバとの間で通信を行う。この所定のサーバとは、一般的な通信ネットワークと接続されたサイトに配置されている通信装置であり、様々な情報が格納されているものである。通信部１５０が通信を行うサーバは、１つのサーバに限らず、情報に応じて、複数のサーバであっても良い。
【００３３】
次に、本発明の表示装置の外観について説明する。以下では、図１に示した表示装置１００を例に挙げて説明する。
【００３４】
図５は、図１に示した表示装置１００の外観の第１の例を示す図である。
【００３５】
図１に示した表示装置１００は図５に示すように、３つの表示領域１１０−１〜１１０−３が、１つのディプレイ上に配置されている。表示領域１１０−１と表示領域１１０−２と表示領域１１０−３との境界（図５中、破線で示したもの）は、表示装置１００を操作する操作者が認識することができれば良く、特に規定しない。例えば、携帯端末で電子メールの本文を入力する際にディスプレイに表示される、入力文章を表示する欄と変換候補を表示する欄とのようなものであっても良い。また、検知部１３０が、表示装置１００を操作する操作者の視線を検知できるような位置に配置されている。
【００３６】
図６は、図１に示した表示装置１００の外観の第２の例を示す図である。なお、図６には、図１に示した表示領域１１０−３がない例を示した。
【００３７】
図１に示した表示装置１００は図６に示すように、表示領域１１０−１と表示領域１１０−２とに区分された表示領域からなるディスプレイ（表示部）を有する。このとき、表示領域１１０−１と表示領域１１０−２とは、図５に示すように、同一の筺体に配置されているものであっても良いし、図６に示すように、ヒンジ等で接続された互いに異なる筐体にそれぞれ配置されている（複数の表示媒体である）ものであっても良い。また、検知部１３０が、表示装置１００を操作する操作者の視線を検知できるような位置に配置されている。
【００３８】
図７は、図１に示した表示装置１００の外観の第３の例を示す図である。
【００３９】
図１に示した表示装置１００は図７に示すように、３つの表示領域１１０−１〜１１０−３が、物理的に分離された電子ペーパーであり、互いに重ね合わされて、書籍のページのように一辺を保持部１６０で固定して配置されている。なお、表示領域１１０−１〜１１０−３は、電子ペーパー以外のものであっても良い。また、検知部１３０が、表示装置１００を操作する操作者の視線を検知できるような位置に配置されている。ここで、表示領域１１０−１がめくられた場合や、表示領域１１０−１および表示領域１１０−２がめくられた場合、図７に示すような位置に検知部１３０が配置されていると、表示装置１００を操作する操作者の視線を検知できない場合があるため、表示領域がめくられても操作する操作者の視線を検知できる位置に配置することが必要となる。
【００４０】
なお、図７に示すような外観を持つ表示装置の場合、制御部１２０は、複数の表示領域のうち、最前面に配置されている表示領域を第１の表示領域として認識する。制御部１２０が、どの表示領域が最前面に配置されているかを識別するには、保持部１６０内に、表示領域が書籍のページのようにめくられたか否かを検出する機構を設けておき、その機構を用いて行っても良い。また、表示領域１１０−１〜１１０−３それぞれの表示面側に光センサを設けておき、その光センサのうち、光を検知した光センサが設けられている表示領域を、最前面に配置されている表示領域であると識別するものであっても良い。
【００４１】
以下に、図１に示した表示装置１００における表示方法について説明する。まずは、図１に示した表示装置１００における表示方法のうち、図１に示した検知部１３０が視線の動きが止まったことを検知したときの処理について説明する。また、ここでは、表示領域１１０−１を第１の表示領域とする場合を例に挙げて説明する。
【００４２】
図８は、図１に示した表示装置１００における表示方法のうち、図１に示した検知部１３０が視線の動きが止まったことを検知したときの処理を説明するためのフローチャートである。
【００４３】
まず、表示装置１００を操作する操作者の視線の動きが止まったことを検知部１３０が検知すると（ステップＳ１）、制御部１２０が、表示領域１１０−１の中で、その視線の方向に表示されている情報を判別する（ステップＳ２）。
【００４４】
すると、制御部１２０が、判別した情報を検索キーとして、その情報に関連した関連情報を記憶部１４０から検索して読み出す（ステップＳ３）。
【００４５】
続いて、制御部１２０は、記憶部１４０から読み出した関連情報を、第２の表示領域である表示領域１１０−２，１１０−３に表示させる（ステップＳ４）。
【００４６】
図９は、図５に示した外観形状である表示装置１００に情報および関連情報が表示されたときの表示例を示す図である。ここで、記憶部１４０には、図２に示した情報と関連情報との対応付けが記憶されており、制御部１２０が判別した情報が「Ａ」である場合を例に挙げて示す。
【００４７】
図９に示すように、第１の表示領域である表示領域１１０−１に表示されている情報のうち、視線が止まったことを検知部１３０が検知した位置に表示されている情報が「Ａ」であると制御部１２０が判別すると、記憶部１４０に記憶されている「Ａ」の関連情報である「Ａ’」と「Ａ”」とが第２の表示領域である表示領域１１０−２，１１０−３にそれぞれ表示される。なお、図９では、表示領域１１０−２に関連情報「Ａ’」が表示され、表示領域１１０−３に関連情報「Ａ”」が表示されている場合を示しているが、表示領域１１０−２に関連情報「Ａ”」が表示され、表示領域１１０−３に関連情報「Ａ’」が表示されても良い。また、制御部１２０は、表示領域１１０−１に、検知部１３０が検知した視線の方向の位置を識別可能に表示させるものであっても良い。例えば、図９に示すように、制御部１２０は、「Ａ」を破線で囲んだ表示をさせたり、「Ａ」の部分に着色をしたり、「Ａ」の文字色を他の情報の文字色とは異なる色としたりするものであっても良い。また、情報が図９に示すような文字ではなく、写真や絵等の画像であっても良いことは言うまでもない。
【００４８】
また、記憶部１４０に、図３に示した対応付けが記憶されている場合、第１の表示領域である表示領域１１０−１に表示されている情報のうち、視線が止まったことを検知部１３０が検知した位置に表示されている情報が「Ａ」であると制御部１２０が判別すると、記憶部１４０に記憶されている「Ａ」の関連情報１である「Ａ’」と関連情報２である「ａ’」とが第２の表示領域である表示領域１１０−２，１１０−３にそれぞれ表示される。
【００４９】
図１０は、図６に示した外観形状である表示装置１００に情報および関連情報が表示されたときの表示例を示す図である。ここで、記憶部１４０には、図２に示した情報と関連情報との対応付けが記憶されており、制御部１２０が判別した情報が「Ａ」である場合を例に挙げて示す。
【００５０】
図１０に示すように、第１の表示領域である表示領域１１０−１に表示されている情報のうち、視線が止まったことを検知部１３０が検知した位置に表示されている情報が「Ａ」であると制御部１２０が判別すると、記憶部１４０に記憶されている「Ａ」の関連情報である「Ａ’」が第２の表示領域である表示領域１１０−２に表示される。また、制御部１２０は、表示領域１１０−１に、検知部１３０が検知した視線の方向の位置を識別可能に表示させるものであっても良い。例えば、図１０に示すように、制御部１２０は、「Ａ」を破線で囲んだ表示をさせたり、「Ａ」の部分に着色をしたり、「Ａ」の文字色を他の情報の文字色とは異なる色としたりするものであっても良い。また、情報が図１０に示すような文字ではなく、写真や絵等の画像であっても良いことは言うまでもない。
【００５１】
ここで、表示領域１１０−２に「Ａ’」が表示された状態で、操作者が視線を表示領域１１０−２から表示領域１１０−１へ移動させ、表示領域１１０−１に表示されている情報のうち、視線が止まったことを検知部１３０が検知した位置に表示されている情報が「Ｂ」であると制御部１２０が判別した場合の処理について説明する。この場合、「Ａ’」の少なくとも一部を操作者が既に見たことを検知していれば、制御部１２０は、表示領域１１０−２上で「Ａ’」の少なくとも一部を削除するか、全体を縮小表示する等して、「Ｂ」の関連情報「Ｂ’」を表示領域１１０−２に表示させる領域を確保し、表示領域１１０−２に表示させるものであっても良い。また、「Ａ’」の少なくとも一部を操作者が既に見たことを検知していなければ、制御部１２０は、「Ｂ」の関連情報「Ｂ’」を表示領域１１０−２以外の他の表示領域（ページ）に表示させるものであっても良い。
【００５２】
図１１は、図７に示した外観形状である表示装置１００に情報および関連情報が表示されたときの表示例を示す図である。ここで、記憶部１４０には、図２に示した情報と関連情報との対応付けが記憶されており、制御部１２０が判別した情報が「Ａ」である場合を例に挙げて示す。
【００５３】
図１１に示すように、第１の表示領域である表示領域１１０−１に表示されている情報のうち、視線が止まったことを検知部１３０が検知した位置に表示されている情報が「Ａ」であると制御部１２０が判別すると、記憶部１４０に記憶されている「Ａ」の関連情報である「Ａ’」と「Ａ”」とが第２の表示領域である表示領域１１０−２，１１０−３にそれぞれ表示される。なお、図１１では、表示領域１１０−２に関連情報「Ａ’」が表示され、表示領域１１０−３に関連情報「Ａ”」が表示されている場合を示しているが、表示領域１１０−２に関連情報「Ａ”」が表示され、表示領域１１０−３に関連情報「Ａ’」が表示されても良い。また、制御部１２０は、表示領域１１０−１に、検知部１３０が検知した視線の方向の位置を識別可能に表示させるものであっても良い。例えば、図１１に示すように、制御部１２０は、「Ａ」を破線で囲んだ表示をさせたり、「Ａ」の部分に着色をしたり、「Ａ」の文字色を他の情報の文字色とは異なる色としたりするものであっても良い。また、情報が図１１に示すような文字ではなく、写真や絵等の画像であっても良いことは言うまでもない。
【００５４】
また、記憶部１４０に、図３に示した対応付けが記憶されている場合、第１の表示領域である表示領域１１０−１に表示されている情報のうち、視線が止まったことを検知部１３０が検知した位置に表示されている情報が「Ａ」であると制御部１２０が判別すると、記憶部１４０に記憶されている「Ａ」の関連情報１である「Ａ’」と関連情報２である「ａ’」とが第２の表示領域である表示領域１１０−２，１１０−３にそれぞれ表示される。
【００５５】
次に、図１に示した表示装置１００における表示方法のうち、図１に示した検知部１３０が操作者のまばたきを検知したときの処理について説明する。また、ここでは、表示領域１１０−１を第１の表示領域とする場合を例に挙げて説明する。
【００５６】
図１２は、図１に示した表示装置１００における表示方法のうち、図１に示した検知部１３０が操作者のまばたきを検知したときの処理を説明するためのフローチャートである。
【００５７】
まず、表示装置１００を操作する操作者がまばたきをしたことを検知部１３０が検知すると（ステップＳ１１）、制御部１２０が、表示領域１１０−１の中で、その視線の方向に表示されている情報を判別する（ステップＳ１２）。
【００５８】
すると、制御部１２０が、判別した情報を検索キーとして、その情報に関連した関連情報を記憶部１４０から検索して読み出す（ステップＳ１３）。
【００５９】
続いて、制御部１２０は、記憶部１４０から読み出した関連情報を、第２の表示領域である表示領域１１０−２，１１０−３に表示させる（ステップＳ１４）。このときの表示の様子は、図９〜１１に示したものと同じである。
【００６０】
次に、図４に示した表示装置１０１における表示方法のうち、図４に示した検知部１３０が視線の動きが止まったことを検知したときの処理について説明する。また、ここでは、表示領域１１０−１を第１の表示領域とする場合を例に挙げて説明する。
【００６１】
図１３は、図４に示した表示装置１０１における表示方法のうち、図４に示した検知部１３０が視線の動きが止まったことを検知したときの処理を説明するためのフローチャートである。
【００６２】
まず、表示装置１０１を操作する操作者の視線の動きが止まったことを検知部１３０が検知すると（ステップＳ２１）、制御部１２１が、表示領域１１０−１の中で、その視線の方向に表示されている情報を判別する（ステップＳ２２）。
【００６３】
すると、制御部１２１が、判別した情報に関連する関連情報を、通信部１５０を介して所定のサーバから取得する（ステップＳ２３）。関連情報の取得の方法は、上述した通りである。
【００６４】
続いて、制御部１２０は、通信部１５０を介して取得した関連情報を、第２の表示領域である表示領域１１０−２，１１０−３に表示させる（ステップＳ２４）。このときの表示の様子は、図９〜１１に示したものと同じである。
【００６５】
次に、図４に示した表示装置１０１における表示方法のうち、図４に示した検知部１３０が操作者のまばたきを検知したときの処理について説明する。また、ここでは、表示領域１１０−１を第１の表示領域とする場合を例に挙げて説明する。
【００６６】
図１４は、図４に示した表示装置１０１における表示方法のうち、図４に示した検知部１３０が操作者のまばたきを検知したときの処理を説明するためのフローチャートである。
【００６７】
まず、表示装置１０１を操作する操作者がまばたきをしたことを検知部１３０が検知すると（ステップＳ３１）、制御部１２１が、表示領域１１０−１の中で、その視線の方向に表示されている情報を判別する（ステップＳ３２）。
【００６８】
すると、制御部１２１が、判別した情報に関連する関連情報を、通信部１５０を介して所定のサーバから取得する（ステップＳ３３）。関連情報の取得の方法は、上述した通りである。
【００６９】
続いて、制御部１２０は、通信部１５０を介して取得した関連情報を、第２の表示領域である表示領域１１０−２，１１０−３に表示させる（ステップＳ３４）。このときの表示の様子は、図９〜１１に示したものと同じである。
【００７０】
なお、このように通信部１５０を介して関連情報を取得する場合であっても、記憶部１４０に記憶している関連情報を読み出す場合と同様に、図２に示したような互いに並列的な関連情報や、図３に示したような階層的な関連情報を取得して表示する。
【００７１】
また、検知部１３０が検知している操作者の視線の方向の位置に表示されている情報について、同様の処理を行うものであっても良い。
【００７２】
例えば、図１に示した表示装置１００にて、操作者の視線の動きが止まらなくても、その視線の方向の位置に表示されている情報に関連する関連情報を、制御部１２０は、その視線の動きと連動して第２の表示領域に表示させるものであっても良い。
【００７３】
図１５は、図７に示した外観形状である表示装置１００に情報および関連情報が表示されたときの表示の他の例を示す図である。ここで、記憶部１４０には、図２に示した情報と関連情報との対応付けが記憶されており、検知部１３０が検知した視線の方向が、「Ａ」が表示されている位置から「Ｂ」が表示されている位置へ移動した場合を例に挙げて示す。
【００７４】
図１５に示すように、第１の表示領域である表示領域１１０−１に表示されている情報のうち、検知部１３０が検知している視線が動いており、その方向が、「Ａ」が表示されている位置から「Ｂ」が表示されている位置へ移動すると、その「Ａ」および「Ｂ」を制御部１２０が判別し、記憶部１４０に記憶されている「Ａ」の関連情報である「Ａ’」と「Ｂ」の関連情報である「Ｂ’」が第２の表示領域である表示領域１１０−２，１１０−３にそれぞれ表示される。なお、図１５では、表示領域１１０−２に関連情報「Ａ’」が表示され、表示領域１１０−３に関連情報「Ｂ’」が表示されている場合を示しているが、表示領域１１０−２に関連情報「Ｂ’」が表示され、表示領域１１０−３に関連情報「Ａ’」が表示されても良い。また、制御部１２０は、表示領域１１０−１に、検知部１３０が検知した視線の方向の位置を識別可能に表示させるものであっても良い。例えば、図１５に示すように、制御部１２０は、「Ａ」を方形で囲んだ表示をさせたり、「Ｂ」を円で囲んだ表示をさせたりするものであっても良い。
【００７５】
また、図１１に示したように、制御部１２０は、表示領域１１０−２に「Ａ’」を表示させ、表示領域１１０−３に「Ａ”」を表示させた後、所定の時間が経過してから、表示領域１１０−２に「Ｂ’」を表示させ、表示領域１１０−３に「Ｂ”」を表示させるものであっても良い。
【００７６】
なお、操作者が情報を選択する際、上述したように、視線やまばたきによるもの以外に、一般的なタッチパネルや入力キー等の操作部を用いた方法で行っても良い。
【００７７】
このように、複数の表示領域を持つ表示装置において、１つの表示領域に表示されている情報のうち、所望の情報についての関連情報を、直観的な動作だけで、表示させることができる。
【００７８】
なお、表示装置１００，１０１は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、電子書籍等の装置に適用することが可能である。
【００７９】
上述した表示装置１００，１０１に設けられた各構成要素が行う処理は、目的に応じてそれぞれ作製された論理回路で行うようにしても良い。また、処理内容を手順として記述したコンピュータプログラム（以下、プログラムと称する）を表示装置１００，１０１にて読取可能な記録媒体に記録し、この記録媒体に記録されたプログラムを表示装置１００，１０１に読み込ませ、実行するものであっても良い。表示装置１００，１０１にて読取可能な記録媒体とは、フロッピー（登録商標）ディスク、光磁気ディスク、ＤＶＤ、ＣＤなどの移設可能な記録媒体の他、表示装置１００，１０１に内蔵されたＲＯＭ、ＲＡＭ等のメモリやＨＤＤ等を指す。この記録媒体に記録されたプログラムは、表示装置１００，１０１に設けられた制御部１２０，１２１にて読み込まれ、制御部１２０，１２１の制御によって、上述したものと同様の処理が行われる。ここで、制御部１２０，１２１は、プログラムが記録された記録媒体から読み込まれたプログラムを実行するコンピュータとして動作するものである。
【符号の説明】
【００８０】
１００，１０１    表示装置
１１０−１〜１１０−３    表示領域
１２０，１２１    制御部
１３０    検知部
１４０    記憶部
１５０    通信部
１６０    保持部
【図１】
2013069211.tif 000003
【図２】
2013069211.tif 000004
【図３】
2013069211.tif 000005
【図４】
2013069211.tif 000006
【図５】
2013069211.tif 000007
【図６】
2013069211.tif 000008
【図７】
2013069211.tif 000009
【図８】
2013069211.tif 000010
【図９】
2013069211.tif 000011
【図１０】
2013069211.tif 000012
【図１１】
2013069211.tif 000013
【図１２】
2013069211.tif 000014
【図１３】
2013069211.tif 000015
【図１４】
2013069211.tif 000016
【図１５】
2013069211.tif 000017